(57)【要約】【課題】元となる画像データの中に複数の顔の画像があっても、また、顔の画像が直径２０ｍｍφほどの大きさしかない場合であっても、顔の画像がつぶれることなく個人を特定し得る粗いタッチのオリジナルな絵画風の絵本を提供する。【解決手段】背景画像の中の登場人物が配置される位置に依頼者が提供する個人の顔写真画像よりも一回り大きく、かつ、肌色の反対色一色で形成された貼付スペースを配置し、周囲を前記肌色の反対色が取り囲むように前記顔写真画像を前記貼付スペースに貼付してオリジナル画像データとし、前記オリジナル画像データを顔識別機能のある画像変換ソフトにより絵画調に画像変換した後印刷し、これを絵本として製本することとした、【選択図】図１
0003176480.tif 000002
【実用新案登録請求の範囲】
【請求項１】
背景画像の中の登場人物が配置される位置に依頼者が提供する個人の顔写真画像よりも一回り大きく、かつ、肌色の反対色一色で形成された貼付スペースが配置され、
周囲を前記肌色の反対色が取り囲むように前記顔写真画像が前記貼付スペースに貼付されてオリジナル画像データが形成され、
前記オリジナル画像データが顔識別機能のある画像変換ソフトにより絵画調に画像変換されて印刷され、
前記印刷物が製本された、ことを特徴とする絵画風オリジナル絵本。
【請求項２】
前記貼付スペースに接して顔を除く身体部のイラスト画が配置され、該身体部のイラスト画の周囲は前記肌色の反対色に取り囲まれている、ことを特徴とする請求項１に記載の絵画風オリジナル絵本。
【請求項３】
前記オリジナル画像データが顔識別機能のある画像変換ソフトにより絵画調に画像変換された後、テキストデータが付加されて印刷された、ことを特徴とする請求項１または請求項２に記載の絵画風オリジナル絵本。
【請求項４】
前記登場人物は複数であって、個別および／またはグループ毎に前記貼付スペースが配置されている、ことを特徴とする請求項１ないし請求項３のいずれかに記載の絵画風オリジナル絵本。
【請求項５】
物語の場面に見合った前記背景画像に前記貼付スペースおよび前記身体部のイラスト画を配置した複数の原画像データが予め用意されている、ことを特徴とする請求項２ないし請求項４のいずれかに記載の絵画風オリジナル絵本。
【考案の詳細な説明】
【技術分野】
【０００１】
本考案は、依頼者が所望する個人を物語の登場人物に仕立て、その個人の顔を絵画風にアレンジしたオリジナルな絵本に関する。
【背景技術】
【０００２】
従来から、物語の絵本の中の登場人物の名前を個人の名前に置き換え、あるいは、登場人物の顔を個人の顔写真に置き換えたオリジナルの絵本が知られている。
【０００３】
例えば、特許文献１では、物語に登場する登場主体の画像が絵本の表示面に表示されるとともに、その登場主体のうちの所定の登場主体の画像の少なくとも顔の部分に、個々の発注者により予め指定された子供の顔の写真が登場主体の画像に置換して組み込まれた内容とされ、その個人があたかも当該物語の主人公等の特定の登場主体であるように構成されるオリジナル絵本を提供している。
【０００４】
また、特許文献２では、写真データをパソコンで取りこみ絵本の登場人物と入れ替え、あらかじめ用意されたイラストを選択していってオリジナル絵本を作成する、技術を提供している。
【０００５】
しかしながら、特許文献１および特許文献２は、個人の顔写真のデータをパソコンで取りこみ、絵本の登場人物の顔に嵌め込んでいるため、背景画の雰囲気と異なって登場人物の顔が周りから浮き上がって見えて、絵本と言うよりはアルバムのような印象を受けるものとなっている。
【０００６】
一方で、写真を絵画調に変換する市販の画像変換ソフトがあり、さらに、この画像変換ソフトの中には、人の顔を検出して人物画らしい自然な絵画表現を可能とする機能（以下、「顔識別機能」という。）を具えるものがある。この顔識別機能を具える画像変換ソフトを使用して、絵本の登場人物の顔に個人の顔写真のデータを嵌め込んだ画像データを処理すれば、背景画の雰囲気と登場人物の顔の雰囲気が一致して、絵本のような印象を受けるものとなる。
【０００７】
しかしながら、顔識別機能を具える画像変換ソフトでは、１枚の元となる画像データの中に複数の顔の画像があったり、顔の画像が直径２０ｍｍφ程度の大きさしかないものであったりした場合には、絵画調に変換すると顔がつぶれてしまって識別できない場合が生ずる。特に粗いタッチの油彩画風やパステル画風に変換すると、その傾向は顕著なものとなる。
【先行技術文献】
【特許文献】
【０００８】
【特許文献１】実用新案登録第３０６２０５１号公報
【特許文献２】特開２００４−３４５１４３号公報
【考案の概要】
【考案が解決しようとする課題】
【０００９】
そこで、本考案は元となる画像データの中に複数の顔の画像があっても、また、顔の画像が直径２０ｍｍφほどの大きさしかない場合であっても、顔の画像がつぶれることなく個人を特定し得る粗いタッチのオリジナルな絵画風の絵本を提供することを目的とする。
【課題を解決するための手段】
【００１０】
上記目的を達成するため、本願請求項１に係る絵画風オリジナル絵本は、背景画像の中の登場人物が配置される位置に依頼者が提供する個人の顔写真画像よりも一回り大きく、かつ、肌色の反対色一色で形成された貼付スペースが配置され、周囲を前記肌色の反対色が取り囲むように前記顔写真画像が前記貼付スペースに貼付されてオリジナル画像データが形成され、前記オリジナル画像データが顔識別機能のある画像変換ソフトにより絵画調に画像変換されて印刷され、前記印刷物が製本された、ことを特徴としている。なお、肌色の反対色とは、肌色の補色に近い緑色、青色、赤紫色等をいう。
また、本願請求項２に係る絵画風オリジナル絵本は、請求項１に記載の絵画風オリジナル絵本であって、前記貼付スペースに接して顔を除く身体部のイラスト画が配置され、該身体部のイラスト画の周囲は前記肌色の反対色に取り囲まれている、ことを特徴としている。
そして、本願請求項３に係る絵画風オリジナル絵本は、請求項１または請求項２に記載の絵画風オリジナル絵本であって、前記オリジナル画像データが顔識別機能のある画像変換ソフトにより絵画調に画像変換された後、テキストデータが付加されて印刷された、ことを特徴としている。
さらに、本願請求項４に係る絵画風オリジナル絵本は、請求項１ないし請求項３のいずれかに記載の絵画風オリジナル絵本であり、前記登場人物は複数であって、個別および／またはグループ毎に前記貼付スペースが配置されている、ことを特徴としている。
また、本願請求項５に係る絵画風オリジナル絵本は、請求項２ないし請求項４のいずれかに記載の絵画風オリジナル絵本であって、物語の場面に見合った前記背景画像に前記貼付スペースおよび前記身体部のイラスト画を配置した複数の原画像データが予め用意されている、ことを特徴としている。
【考案の効果】
【００１１】
上記構成により、本考案は以下の効果を奏する。
（１）背景画像の中の登場人物が配置される位置に、個別および／またはグループ毎に顔写真画像を貼付する貼付スペースを配置していて、顔写真画像の周囲を肌色の反対色で取り囲むようにしているため、顔識別機能のある画像変換ソフトで粗いタッチの油彩画風やパステル画風に画像変換しても顔がつぶれたようにはならず、容易に顔を識別することができる。
（２）貼付スペースに接して顔を除く身体部のイラスト画が配置されていて、この身体部のイラスト画の周囲も肌色の反対色に取り囲まれているため、画像変換後の身体部についても容易に識別することができる。
（３）オリジナル画像データの画像変換後にテキストデータを付加するため、背景画像から容易にテキスト（文字）を識別することができるとともに、登場人物の名前を個人名にすることにより、子供にとっても読みやすく親しみやすい絵本になる。
（４）物語の場面に見合うように予め用意された複数の原画像データに顔写真を貼り付ければオリジナル画像データができあがるので、短期間に、かつ、低廉に絵画風オリジナル絵本を制作することができる。
【図面の簡単な説明】
【００１２】
【図１】図１は実施例に係る絵画風オリジナル絵本の制作過程を示すフローチャートである。
【図２】図２は実施例に係る絵画風オリジナル絵本の制作過程毎の絵本の１ページを示す制作過程図であり、図２（ａ）は原画像、図２（ｂ）はオリジナル画像、図２（ｃ）は画像変換後のオリジナル画像、図２（ｄ）はテキストデータを付加したオリジナル画像、を示す図である。
【考案を実施するための形態】
【００１３】
以下、本考案を実施するための形態に係る絵画風オリジナル絵本について、図１および図２に基づいて説明する。なお、図１および図２において、符号１０は原画像、符号１１は貼付スペース、符号１３は身体部のイラスト画、符号２０はオリジナル画像、符号２１は顔写真画像、符号３０は画像変換後のオリジナル画像、符号４０はテキストを付加したオリジナル画像、符号４１はテキスト、である。
【００１４】
図１および図２を基に実施例に係る絵画風オリジナル絵本について、その製作工程に沿って説明する。
【００１５】
〔ステップ１〕
日本や世界の昔話、あるいはオリジナルな話を題材にして物語を組み立て、それに沿ってイラストを描いたり写真を使うなどして人物を入れた物語の場面毎の原画像１０を創る。この際、人物の顔に相当する部分は一回り（おおよそ２ｍｍ〜７ｍｍ）大きくして肌色の反対色で塗りつぶして貼付スペース１１とする。実施例ではこの反対色を青色と緑色としている。そして、これを原画像データとして保存する。
【００１６】
人物の身体部分をイラストで描いて身体部のイラスト画１３とすることにより、後述する画像変換によりリアリティーさが消えて人物が物語の中に溶け込んで絵本らしくなるとともに、貼付スペース１１を複数とすることにより、家族の個々の顔写真をも載せることができるので、親しみやすい絵本に仕上がる。なお、身体部のイラスト画１３の周囲も貼付スペース１１と同一色で取り囲まれるようにすると良い。
【００１７】
〔ステップ２〕
依頼者が提供する個人の顔写真画像２１を原画像１０の貼付スペース１１に貼り付ける。または、顔写真画像２１をデータ化して原画像データとし、原画像データの貼付スペース１１にペーストする。この際、貼り付けた顔写真画像２１または顔写真画像データの周りは、貼付スペース１１を塗りつぶした色で取り囲むようにする。
【００１８】
〔ステップ３〕
ステップ２で顔写真画像２１を原画像１０の貼付スペース１１に貼り付けた場合には、これをデータ化してオリジナル画像データとする。
【００１９】
〔ステップ４〕
オリジナル画像データを顔識別機能のある画像変換ソフトで油彩画調に画像変換する。これによりオリジナル画像は全体として油彩画調に画像変換されるものの、顔写真画像２１は顔がつぶれたようにはならず、容易に個人の顔を識別することができる。なお、身体部のイラスト画１３の周囲も貼付スペース１１と同一色で取り囲まれるようにすることにより、肌色の手足の部分もつぶれたようにはならない。
【００２０】
〔ステップ５〕
データ化されている画像変換後のオリジナル画像３０にテキストデータを付加してテキスト４１を付加したオリジナル画像４０とする。画像変換後に付加するため、テキスト４１は鮮明で読みやすいものとなる。なお、テキストデータを付加するに当たって、顔写真とともに、たとえば、登場人物の名前に代えて個人名にするといった依頼者が提供する個人の情報をテキスト４１に盛り込むことにより、子供にとって親しみやすい内容の絵本になる。
【００２１】
〔ステップ６〕
物語の場面毎のオリジナル画像データをプリントアウトし、表紙を付けて製本することにより、本考案に係る絵画風オリジナル絵本が完成する。
【００２２】
本考案では、物語の場面毎のオリジナル画像データが予め制作されているので、依頼のある度に原画から作る必要はなく、
（１）用意された原画像１０に依頼者の提供する顔写真画像２１を貼付スペース１１に貼り付け、（２）テキスト４１の内容も部分的に代え、（３）プリントアウトする、という一連の作業はパソコン上で簡単にできるので、一品注文生産であっても十分制作コストを抑えることができる。
【符号の説明】
【００２３】
１０  原画像
１１  貼付スペース
１３  身体部のイラスト画
２０  オリジナル画像
２１  顔写真画像
３０  画像変換後のオリジナル画像
４０  テキストを付加したオリジナル画像
４１  テキスト
【図１】
0003176480.tif 000003
【図２】
0003176480.tif 000004